(57)【特許請求の範囲】
【請求項１】
乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、
清掃具の自動更新時には清掃具を移動手摺から引き離し、更新終了時に再度移動手摺に押圧する構成とするとともに、
前記清掃具の自動更新時には、使用済み部の帯状清掃具が巻取り軸体に平滑に巻取られるよう、押圧部材が逆ハの字形状になっていることを特徴とする乗客コンベアの移動手摺清掃装置。
【請求項２】
乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、
清掃具の自動更新時には清掃具を移動手摺から引き離し、更新終了時に再度移動手摺に押圧する構成とするとともに、
前記清掃具の自動更新時にほぼ水平に形状変化した押圧部材が、再度移動手摺清掃状態に戻ったとき、押圧部材の押圧力のみで逆ハの字形状に自動復帰することを特徴とする乗客コンベアの移動手摺清掃装置。
【発明の詳細な説明】
【０００１】
【発明の属する技術分野】
本発明は、エスカレータ等の乗客コンベアに備えられる乗客コンベアの移動手摺清掃装置に関する。
【０００２】
【従来の技術】
従来、エスカレータ等の乗客コンベアにおいては、例えば特開平５−２４７８２号公報等に記載のように、移動手摺に摺接する清掃具を前記移動手摺に当接させる手段を備え、前記移動手摺の移動に伴って前記清掃具により移動手摺の表面を自動的に清掃し、かつ、前記清掃具を自動的に更新する移動手摺の自動清掃装置が提案されている。
【０００３】
【発明が解決しようとする課題】
しかしながら、従来の乗客コンベアの移動手摺自動清掃装置では、押圧部材が逆ハの字形状の固定形であったり、回転ねじ送り方式による逆ハの字構成だったりしている。
【０００４】
前者の方式の場合、使用済み部の帯状清掃具を巻取るとき、清掃具が移動手摺から離れていることは勿論、押圧部材からも完全に浮き上がっていなければ巻取り軸体に平滑に巻くことは不可能なために、これを補正できるよう別部材が必要となって装置全体が複雑になる。また、後者の方式の場合、動力源が必要になる上部品点数が多くなる等欠点が多い。
【０００５】
本発明の目的は、簡単な構造ながら上記の如き欠点がなく、移動手摺清掃時は逆ハの字形を形成し、清掃具更新時にはほぼ水平形状となって帯状清掃具の平滑巻取りが可能な乗客コンベアの移動手摺清掃装置を提供することにある。
【０００６】
【課題を解決するための手段】
上記目的を達成するために本発明は、乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、清掃具の自動更新時には清掃具を移動手摺から引き離し、更新終了時に再度移動手摺に押圧する構成とするとともに、前記清掃具の自動更新時には、使用済み部の帯状清掃具が巻取り軸体に平滑に巻取られるよう、押圧部材が逆ハの字形状になっていることを特徴としている。
また、本発明は、乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、清掃具の自動更新時には清掃具を移動手摺から引き離し、更新終了時に再度移動手摺に押圧する構成とするとともに、前記清掃具の自動更新時にほぼ水平に形状変化した押圧部材が、再度移動手摺清掃状態に戻ったとき、押圧部材の押圧力のみで逆ハの字形状に自動復帰することを特徴としている。
【０００７】
係る手段によれば、乗客コンベアの移動手摺に摺接する清掃具押圧部材を逆ハの字形に形成、またはほぼ水平もしくは若干中高形に繰返し自動変化させるために、てこの原理を応用、移動手摺と清掃具押圧部材間の押圧力により動作しているために構造は簡単かつ、移動手摺面の清掃機能、清掃具更新時の平滑巻取性も良好な上、形状がコンパクトになるなど多くの利点を有している。
【０００８】
【発明の実施の形態】
以下、本発明の乗客コンベアの移動手摺清掃装置の形態を図を用いて説明する。
【０００９】
図１は本発明の一実施の形態による乗客コンベアの移動手摺清掃装置を取付けた乗客コンベアの側面図である。
【００１０】
移動手摺１はガイド２に沿って移動可能に構成され、図示を省略した無端状のステップに同期して移動する。この移動手摺１の表面に対向する部分に移動手摺清掃装置３が設けられており、この移動手摺清掃装置３の詳細を図２に示している。
【００１１】
図２は図１の要部を拡大して示す本発明の一実施形態による乗客コンベアの移動手摺清掃装置を示す側面図である。
【００１２】
乗客コンベアに設置された移動手摺清掃装置３は、図２に示すように、上面開口の本体ケース４と、未使用の帯状清掃具５をロール状に装着する第１軸体６と、帯状清掃具５の使用済み部を巻取る第２軸体７と帯状清掃具５の未使用部分の一部を押圧して移動手摺１の表面に当接させる押台昇降機構などからなる清掃具押圧手段８と、移動手摺の移動有無およびその移動方向を検出する移動手摺速度検出手段９と清掃効果を向上させるシリコン液などの清掃液を清掃具５に含浸させるための清掃液タンク１０と、移動手摺清掃装置３の状態を監視・記憶・演算・制御する制御手段１１と移動手摺清掃装置３の作動開始を指令する操作部および状態を表示する操作表示手段１２を少なくとも備えている。
【００１３】
押圧手段８は、図２に示すように第１軸体６と第２軸体７との間に配置されている。帯状清掃具５の使用済み部を巻取る第２軸体７には、その軸体の逆回転を阻止するクラッチ機構１３を含んだ使用済みの帯状清掃具５を第２軸体７に巻取るための第２軸体７を回転させる清掃具更新手段１４とを設けている。
【００１４】
図３〜図６は本発明の帯状清掃具更新手段の一実施形態を示す要部構造図、図７は従来例を示す参考図である。
【００１５】
本案の押圧機構８の構造を詳細に説明すると、図３〜図５に示すように、押圧支持台２１の上に固定された押圧ホルダ２２の内側にガイド２３、２４にて保持され、かつ、ガイド２４にねじにて固着された押圧軸２５があり、更にガイド２４にねじ止めされた受け金具２６からピン２７を介して支承され、上面にスポンジ状クッション３３を取付け、左右に２体に分離した押圧台（１）２９、押圧台（２）３１がガイド２３、２４間にセットされた押圧ばね２８により帯状清掃具５を移動手摺１に押圧するように構成されている。
【００１６】
更に、クッション３３はその中央部にクッションホルダ３４が固着されており、その両端は各々押圧台（１）２９、押圧台（２）３１に接着固定され、ピン２７により回動可能に支承された押圧台（１）２９の突起（１）３０、押圧台（２）３１の突起（２）３２によりクッションホルダ３４を介して上下に可動できるようになっている。
【００１７】
また、この押圧機構の上下動駆動は、モータ支持金具４１に取付けられたモータ４０の軸に固定されたカム４２の回転により、ガイド２３の下端にピン４３にて支承されたコロ４４を介して行われる。この他、この押圧機構にはカム４２の上限位置および下限位置を検知する手段（図示せず）が組込まれている。
【００１８】
このような構成になっているため、乗客コンベアの移動手摺１の運転が開始されると移動手摺速度検出手段９から作動開始の指令を受け、モータ４０がカム４２を上限位置まで回転させて押圧台により帯状清掃具５をクッション３３を介して移動手摺１に押圧する。
【００１９】
移動手摺１の清掃時は、その平面部ばかりでなく側面部の清掃も必要となるが、本案では帯状清掃具５を側面部に押圧する方法として図５に示す如く押圧力を利用したテコの原理を応用している。即ち、押圧台は２体に分離してあり、各々突起３０、３２により噛合う形にし、ピン２７により回動可能になっている。
【００２０】
従って、カム４２による押圧力が加わっていないときは図５の如く押圧台（１）２９、（２）３１の各々の自重により押圧台が開いた形になっているが、カム４２が上がりはじめると移動手摺１からの反力がクッション３３を介してクッションホルダ３４に加わり、押圧台突起（１）３０、（２）３２を押す。この結果、ピン２７により回動可能になっている押圧台（１）２９、（２）３１には各々〔ａ×ｐ〕のモーメントが発生して移動手摺１を包むように逆ハの字形に変形していき、カム４２の上限点では完全な逆ハの字形になって移動手摺１の側面にまで帯状清掃具５を押圧することができる。
【００２１】
さて、設定された清掃時間が経過し、帯状清掃具５が汚れたため清掃面を更新するときは、帯状清掃具５を移動手摺１から引き離すことが必要となるが、前述の如く、カム４２の下限点に下がると押圧台（１）２９、（２）３１の各々の自重によって押圧台が図５のように開いた形となる。ここで重要なことは、押圧台が下がったときにクッション３３の上面がほぼ水平もしくは若干中高になることで、このため帯状清掃具５は第２軸体７にスムーズに巻取ることができる。
【００２２】
これが、もし図７の如く固定式逆ハの字形押圧台の場合には、帯状清掃具５を第２軸体７に巻取る際に張力が加わった帯状清掃具５が凹み部３５に落ち込むためスムーズに巻取ることができず、これを防止するための平行支え板などの補助具（図示せず）が必要となる。
【００２３】
【発明の効果】
以上説明したように本発明の乗客コンベア移動手摺清掃装置の帯状清掃具押圧機構では、次のような効果が期待できる。
【００２４】
（１）移動手摺の側面部への帯状清掃具の押圧は、ねじ送り方式のような複雑な構造とせずに固定式と同様な逆ハの字形性能を有することができる。
【００２５】
（２）使用済み部の帯状清掃具を巻き取るときは、押圧力を開放するだけで、押圧クッションをほぼ水平もしくは若干中高に保つことができるため、他部品を必要とすることなく第２軸体に平滑に巻取り可能となる。
【００２６】
（３）構成部品が少なく、かつ押圧力だけを利用した方式のため、動作の信頼性が高い。
【図面の簡単な説明】
【図１】本発明の一実施形態による乗客コンベアの移動手摺清掃装置を取付けた乗客コンベアの側面図である。
【図２】図１の要部を拡大して示す本発明の一実施形態による乗客コンベアの移動手摺清掃装置を示す側面図である。
【図３】本発明の帯状清掃具押圧部の一実施形態を示す構造図である。
【図４】図３の乗客コンベア移動手摺と直角方向の構造図である。
【図５】図４の下限点図示および本発明押圧部の動作説明図である。
【図６】図５の要部平面図である。
【図７】従来構造を示す参考図である。
【符号の説明】
１  移動手摺
２  ガイド
３  移動手摺清掃装置
４  本体ケース
５  帯状清掃具
６  第１軸体
７  第２軸体
８  清掃具押圧手段
９  移動手摺速度検出手段
１０  清掃タンク
１１  制御手段
１２  操作表示手段
１３  クラッチ機構
１４  清掃具更新手段
１５  清掃具更新駆動電動機
２１  押圧支持台
２２  押圧ホルダ
２３  ガイド
２４  ガイド
２５  押圧軸
２６  受け金具
２７  ピン
２８  押圧ばね
２９  押圧台（１）
３０  突起（１）
３１  押圧台（２）
３２  突起（２）
３３  クッション
３４  クッションホルダ
３５  凹み部
４０  モータ
４１  モータ支持金具
４２  カム
４３  ピン
４４  コロ
【図１】
0003689532.tif 000002
【図２】
0003689532.tif 000003
【図３】
0003689532.tif 000004
【図４】
0003689532.tif 000005
【図５】
0003689532.tif 000006
【図６】
0003689532.tif 000007
【図７】
0003689532.tif 000008